(57)【要約】【課題】書籍の天、地、背に沿った状態で書籍に装着できるようにした盗難防止器具を改良し、天に沿った施錠スリーブが不正に持ち上げられることが無いようにして不正行為に対処できるようにすることである。【解決手段】書籍Ａの背ａに沿った背枠２１の下端に背寄り地差込片２３が設けられ、その背枠２１の上端部に天ｃに沿って屈曲したヒンジ基部２４にヒンジ２５を介して施錠スティック２６が連結され、その施錠スティック２６に盗難防止タグ３６が取り付けられる。施錠スリーブ２８がヒンジ基部２４まで嵌合された際に、施錠スリーブ２８が施錠スティック２６にロックされる。施錠スリーブ２８の前端部に、書籍Ａの小口ｄの天ｃに寄った部分の開封防止包装を突き破って差し込まれる天寄り小口差込片３２を設けた構成とした。【選択図】図２
2011217804.tif 000002
【特許請求の範囲】
【請求項１】
書籍の背の外側面に沿う背枠、前記背枠の下端部に書籍の地に沿って屈曲されたアーム、そのアームに設けられ地の背に近い部分に差し込まれる背寄り地差込片、前記背枠の上端部に書籍の天に沿うように屈曲して設けられたヒンジ基部、前記ヒンジ基部にヒンジを介して連結された施錠スティック、前記施錠スティックの前端側から前記ヒンジ基部までスライド可能に嵌合された施錠スリーブ、前記施錠スリーブに設けられた書籍に対する差込片、及び前記施錠スティックに設けられた前記施錠スリーブに対するロック機構をそれぞれ備え、
前記施錠スリーブが前記施錠スティックの前端側から前記ヒンジ基部まで押し込まれた際に前記ロック機構が作用し施錠スリーブがロックされるようにした書籍盗難防止器具において、
前記施錠スリーブに設けられた書籍に対する前記差込片が、書籍の天の背に寄った部分に差し込まれる背寄り天差込片と、小口の天に寄った部分に差し込まれる天寄り小口差込片とにより構成され、書籍の天と小口によって構成される天・小口コーナ部を含む部分に開封防止包装が施された書籍に適用されることを特徴とする書籍盗難防止器具。
【請求項２】
前記天寄り小口差込片が、前記施錠スリーブの前端から下向きに設けられたアームの内側に内向きni
設けられたことを特徴とする請求項１に記載の書籍盗難防止器具。
【請求項３】
前記天・小口コーナ部における天又は小口に、その部分の開封防止包装の補強手段が設けられたことを特徴とする請求項１又は２に記載の書籍盗難防止器具。
【請求項４】
前記補強手段が、前記開封防止包装の内面又は外面のいずれかに設けられたことを特徴とする請求項３に記載の書籍盗難防止器具。
【請求項５】
書籍の背の外側面に沿う背枠、前記背枠の下端部に書籍の地に沿って屈曲されたアーム、そのアームに設けられ地の背に近い部分に差し込まれる背寄り地差込片、前記背枠の上端部に書籍の天に沿うように屈曲して設けられたヒンジ基部、前記ヒンジ基部にヒンジを介して連結された施錠スティック、前記施錠スティックの前端側から前記ヒンジ基部までスライド可能に嵌合された施錠スリーブ、前記施錠スリーブに設けられた書籍に対する差込片、及び前記施錠スティックに設けられた前記施錠スリーブに対するロック機構をそれぞれ備え、
前記施錠スリーブが前記施錠スティックの前端側から前記ヒンジ基部まで押し込まれた際に前記ロック機構が作用し施錠スリーブがロックされるようにした書籍盗難防止器具において、
前記施錠スリーブに設けられた書籍に対する前記差込片が、書籍の天の背に寄った部分に差し込まれる背寄り天差込片と、小口の天に寄った部分に差し込まれる天寄り小口差込片とにより構成され、
前記小口の外側面に沿う小口枠が設けられ、その小口枠の下端部に書籍の地と小口によって構成される地・小口コーナ部の地側の小口に寄った部分に差し込まれる小口寄り地差込片が設けられ、前記小口枠の上端部に前記施錠スリーブの天寄り小口差込片が挿通されるスリットが設けられ、
書籍の地と小口によって構成される地・小口コーナ部を含む部分に開封防止包装が施された書籍に適用されることを特徴とする書籍盗難防止器具。
【請求項６】
書籍の背の外側面に沿う背枠、前記背枠の下端部に書籍の地に沿って屈曲されたアーム、そのアームに設けられ地の背に寄った部分に差し込まれる背寄り地差込片、前記背枠の上端部に書籍の天に沿うように屈曲して設けられたヒンジ基部、前記ヒンジ基部にヒンジを介して連結された施錠スティック、前記施錠スティックの前端側から前記ヒンジ基部までスライド可能に嵌合された施錠スリーブ、前記施錠スリーブに設けられた書籍に対する差込片、及び前記施錠スティックに設けられた前記施錠スリーブに対するロック機構をそれぞれ備え、
前記施錠スリーブが前記施錠スティックの前端側から前記ヒンジ基部まで押し込まれた際に前記ロック機構が作用し施錠スリーブがロックされるようにした書籍盗難防止器具において、
前記施錠スリーブに設けられた書籍に対する前記差込片が、書籍の天の背に寄った部分に差し込まれる背寄り天差込片と、小口の天に寄った部分に差し込まれる天寄り小口差込片とにより構成され、
前記書籍の地に沿う地枠が設けられ、その地枠の背側端部に設けられた背側スリットの下面から前記の背枠下端部の背寄り地差込片が挿通され、前記地枠の小口側端部に設けられた小口側スリットの下面から前記小口枠下端部の小口寄り地差込片が挿通されたことを特徴とする書籍盗難防止器具。
【請求項７】
前記地枠の背側スリットの内側又は小口側スリットの内側にヒンジが設けられたことを特徴とする請求項６に記載の書籍盗難防止器具。
【請求項８】
前記施錠スリーブに小口寄り天差込片が設けられたことを特徴とする請求項１から７のいずれかに記載の書籍盗難防止器具。
【発明の詳細な説明】
【技術分野】
【０００１】
この発明は、書店、コンビニエンスストア、コミック本のレンタル店等の店舗において発生する書籍の盗難（いわゆる万引）の防止器具に関するものである。
【背景技術】
【０００２】
書店等において、盗難防止タグを書籍に取り付けておき、そのタグを付けたまま書籍が客とともに検知ゲートを通過すると、これを電子的に検知することにより盗難を防止するようにした防犯システムが知られている。前記タグを書籍に取り付ける方法として、盗難防止器具の内側にタグを取り付け、その器具を書籍に装着して施錠することにより、解錠しない限り器具を書籍から外すことができないようにしたものが知られている（特許文献１）。
【０００３】
前記の器具を装着したままの書籍が検知ゲートを通過すると、その器具に取り付けられたタグが電子的に検知されるので、一応所期の目的を果たすことができる。しかし、書籍に装着する際、書籍の表紙又は裏表紙に器具本体が重なるので、書籍の厚みが増し、書籍の陳列スペースが減少する問題がある。
【０００４】
この問題を解決する器具として、本願の出願人は、先に、書籍の背、天、地の３辺に沿った状態に装着できるようにした枠形の書籍盗難防止器具を特許出願した（特願２０１０−１２００８号）。
【０００５】
この特許出願の一実施例を図１５及び図１６に示す。この書籍盗難防止器具は、書籍Ａの背aの外側面に沿う背枠１を有し、その背枠１の下端部に書籍Ａの地ｂに沿って屈曲された短いアーム２が設けられる。そのアーム２に地ｂの背ａに寄った部分のページ間に差し込む上向きの薄い背寄り地差込片３が設けられる。
【０００６】
前記背枠１の上端部に書籍Ａの天ｃに沿うように屈曲されたヒンジ基部４が設けられ、そのヒンジ基部４にヒンジ５を介して施錠スティック６が連結される。施錠スリーブ７が前記施錠スティック６の前端（自由端）側から前記ヒンジ基部４までスライド可能に嵌合される。その施錠スリーブ７の下面に天ｃの背ａに寄った部分のページ間に差し込むための下向きの薄い背寄り天差込片８が設けられる。
【０００７】
前記施錠スティック６に施錠スリーブ７に対するロック機構９（図１６参照）が設けられる。盗難防止タグ１０は、施錠スティック６の一部に貼り付けられる。
【０００８】
前記施錠スティック６は、施錠スリーブ７がヒンジ５より前方に部分的に抜け出した仮止め状態（図１５の実線状態参照）ではそのヒンジ５を中心として、天ｃに対し接近・離反する方向に部分的に回転することができる。
【０００９】
前記の仮止め状態から前記施錠スリーブ７が天ｃに沿い、ヒンジ５を越えてヒンジ基部４まで押し込まれることにより最も深く嵌合されると、ロック機構９の２個所の係合爪１１が２個所の係合穴１２に係合される。これにより施錠スリーブ７が施錠スティック６にロックされる（図１６参照）。
【００１０】
そのロックにより施錠スリーブ７の抜け出しが阻止され、施錠スリーブ７及びその内部の施錠スティック６はヒンジ５を中心に回転することはできず、天ｃに沿った姿勢に保持される。また、背寄り地差込片３及び背寄り天差込片８は、それぞれ背ａに近い部分において、地ｂ及び天ｃのページ間に差し込まれる。
【００１１】
前記のロック状態においては、器具の外部から盗難防止タグ１０に触れることができず、また器具は、書籍Ａの背ａ、地ｂ、天ｃ及び小口ｄのいずれの方向へも、また書籍Ａの表裏両面と直交する方向にも拘束され、容易に外れることはない。
【００１２】
この器具を書籍Ａから外すためには、管理者の手元にある磁石１３を内蔵した解錠器具１４を施錠スリーブ７の上面に当て、各係合爪１１に設けられたビス１５に吸引力を及ぼし、ロック機構９のロックを解除する必要がある。
【先行技術文献】
【特許文献】
【００１３】
【特許文献１】特開２００８−１０４８３７号公報
【発明の概要】
【発明が解決しようとする課題】
【００１４】
前記特許出願に係る盗難防止器具は、書籍の表紙又は裏表紙に重なる部分がないので、書籍の厚さに影響をもたらすことがない利点がある。しかし、通常の場合、前記の器具はプラスチックの成形品によって構成されるものであるから、素材自体の弾性、施錠スリーブ７とヒンジ基部４との間の嵌合スキマ等によって、施錠スリーブ７の自由端（前端）に不正な力が上向きに強く作用すると（図１６の白抜き矢印参照）、施錠スリーブ７が内部の施錠スティック６とともに天ｃから持ち上げられる恐れがある。
【００１５】
施錠スリーブ７が持ち上げられると、ヒンジ基部４が破壊されたり、天差込片８が書籍Ａの天ｃから引き抜かれたりするおそれがある。
【００１６】
そこで、この発明は、前記の盗難防止器具を改良し、施錠スリーブ７が書籍Ａの天ｃから容易に持ち上げられないようにすることにより、不正行為に対処できるようにした書籍盗難防止器具を提供することを課題とする。
【課題を解決するための手段】
【００１７】
前記の課題を解決するために、この出願に係る第一の発明（請求項１に係る発明）は、書籍の背の外側面に沿う背枠、前記背枠の下端部に書籍の地に沿って屈曲されたアーム、そのアームに設けられた地差込片、前記背枠の上端部に書籍の天に沿うように屈曲して設けられたヒンジ基部、前記ヒンジ基部にヒンジを介して連結された施錠スティック、前記施錠スティックの前端側から前記ヒンジ基部までスライド可能に嵌合された施錠スリーブ、前記施錠スリーブに設けられた書籍に対する差込片、及び前記施錠スティックに設けられた前記施錠スリーブに対するロック機構をそれぞれ備え、前記施錠スリーブが前記施錠スティックの前端側から前記ヒンジ基部まで押し込まれた際に前記ロック機構が作用し施錠スリーブがロックされるようにした書籍盗難防止器具において、前記施錠スリーブに設けられた書籍に対する前記差込片が、書籍の天の背に寄った部分に差し込まれる背寄り天差込片と、小口の天に寄った部分に差し込まれる天寄り小口差込片とにより構成され、書籍の天と小口によって構成される天・小口コーナ部を含む部分に開封防止包装が施された書籍に適用されるものである。
【００１８】
前記構成の書籍盗難防止器具は、背枠を書籍の背の外側面に沿わせるとともに、背寄り地差込片を書籍の地のページ間に差し込む。また、施錠スリーブをヒンジまで達しない仮止め状態に保持したまま天に沿うように回転させ、背寄り天差込片を天のページ間に差し込む。さらに施錠スリーブをヒンジ基部まで押し込むと、施錠スリーブが施錠スティックにロックされる。
【００１９】
また、前記のように、施錠スリーブをヒンジ基部まで押し込んだ際に、施錠スリーブに設けられた天寄り小口差込片が天・小口コーナ部の開封防止包装を突き破って小口のページ間に差し込まれる。
【００２０】
ロック状態にある施錠スリーブの前端部にこれを持ち上げようとする不正な外力が作用した場合、小口のページ間に差し込まれた天寄り小口差込片は、天・小口コーナ部の開封防止包装の一部に係合されることによって天側への抜け出しが防止される。これにより、施錠スリーブ前端部の持ち上げが防止される。
【００２１】
また、前記の課題を解決するために、この出願に係る第二の発明（請求項５に係る発明）は、前記の第一の発明に、小口の外側面に沿う小口枠が設けられ、その小口枠の下端部に書籍の地と小口によって構成される地・小口コーナ部の地側の小口に寄った部分に差し込まれる小口寄り地差込片が設けられ、前記小口枠の上端部に前記施錠スリーブの天寄り小口差込片が挿通されるスリットが設けられた構成を加え、かつ開封防止包装の形態として、書籍の地と小口によって構成される地・小口コーナ部を含む部分に開封防止包装が施されたものに限定するようにしたものである。
【００２２】
この第二の発明によれば、小口枠の下端部に設けられた小口寄り地差込み片が地・小口コーナ部の包装によって小口側への抜け出しが防止され、また、天寄り小口差込片が天方向へ抜け出すことは、天寄り小口差込片が小口枠のスリットに係合することにより防止される。
【００２３】
また、前記の課題を解決するために、この出願に係る第三の発明（請求項６に係る発明）は、開封防止包装を施した書籍に適用されるという限定がないものである。
【００２４】
即ち、書籍の背の外側面に沿う背枠、前記背枠の下端部に書籍の地に沿って屈曲されたアーム、そのアームに設けられ背に寄った部分に差し込まれる背寄り地差込片、前記背枠の上端部に書籍の天に沿うように屈曲して設けられたヒンジ基部、前記ヒンジ基部にヒンジを介して連結された施錠スティック、前記施錠スティックの前端側から前記ヒンジ基部までスライド可能に嵌合された施錠スリーブ、前記施錠スリーブに設けられた書籍に対する差込片、及び前記施錠スティックに設けられた前記施錠スリーブに対するロック機構をそれぞれ備え、前記施錠スリーブが前記施錠スティックの前端側から前記ヒンジ基部まで押し込まれた際に前記ロック機構が作用し施錠スリーブがロックされるようにした書籍盗難防止器具において、前記施錠スリーブに設けられた書籍に対する前記差込片が、書籍の天の背に寄った部分に差し込まれる背寄り天差込片と、小口の天に寄った部分に差し込まれる天寄り小口差込片とにより構成され、前記小口の外側面に沿う小口枠が設けられ、その小口枠の下端部に書籍の地の小口に寄った部分に差し込まれる小口寄り地差込片が設けられ、前記小口枠の上端部に前記施錠スリーブの天寄り小口差込片が挿通されるスリットが設けられ、前記書籍の地に沿う地枠が設けられ、その地枠の背側端部に設けられた背側スリットの下面から前記の背枠下端部の背寄り地差込片が挿通され、前記地枠の小口側端部に設けられた小口側スリットの下面から前記小口枠下端部の小口寄り地差込片が挿通された構成としたものである。
【００２５】
この場合は、背枠の下端部と小口枠の下端部が地枠によって連結されるので、ロック状態にある施錠スリーブの前端部にこれを持ち上げようとする不正な外力が作用した場合、その力は小口枠を経て地枠によって受けられる。このため、開封防止包装が施されていない書籍についても使用することができる。
【発明の効果】
【００２６】
以上のように、この発明は、書籍の天に沿った施錠スリーブに、書籍の小口の天に寄った部分に差し込まれる天寄り小口差込片を設けたことにより、施錠スリーブを持ち上げようとする不正な外力に対向して、その天寄り小口差込片が天・小口コーナ部をカバーする開封防止包装に係合する。これにより、施錠スリーブを持ち上げることが防止され、書籍盗難防止器具を破壊したり、ロックを解錠したりする不正行為に対処することができる。
【００２７】
また、天・小口コーナ部を含む部分をカバーする開封防止包装の内面に補強シートを介在させたり、開封防止包装の外面に補強テープを貼るなどの補強手段を施すことにより当該小口差込片の係合力が増大し、前記の機能を一層効果的に発揮させることができる。
【００２８】
包装形態として地・小口コーナ部を含む部分をカバーする開封防止包装を採り、小口枠の小口寄り地差込片の抜け出しをその包装によって防止し、小口枠の上端部に設けたスリットに施錠スリーブの天寄り小口差込片を挿通する構成を採ることにより、施錠スリーブを持ち上げようとする不正な外力に対向して強固に対向することができる。
【００２９】
さらに、前記背枠の下端部と小口枠の下端部とを地枠によって連結した構成を採った場合は、開封防止包装の施されていない書籍の場合であっても、施錠スリーブの前端部を持ち上げる力に対向することができる。
【図面の簡単な説明】
【００３０】
【図１】は、実施形態１の盗難防止器具の装着状態における正面図である。
【図２】は、同上の分解斜視図である。
【図３】は、同上の装着途中における正面図である。
【図４】（ａ）は、同上のロック状態における一部断面図、同（ｂ）は同（ａ）の一部拡大断面図である。
【図５】は、同上の施錠スティックの底面図である。
【図６】（ａ）は、施錠スリーブの縦断正面図、同（ｂ）は同じく施錠スリーブの底面図、同（ｃ）は施錠スリーブの一部拡大断面図、（ｄ）は同（ｃ）のｄ−ｄ線の断面図である。
【図７】は、同上の仮止め状態の一部を示す断面図である。
【図８】（ａ）は、書籍の包装形態を示す正面図、同（ｂ）は書籍に対する差し込み部分の断面図、同（ｃ）は、他の差し込み部分の断面図である。
【図９】（ａ）は、同上の補強構造を示す一部斜視図、同（ｂ）は他の補強構造を示す一部斜視図、同（ｃ）は同（ｂ）の拡大断面図、同（ｄ）はその他の補強構造を示す一部斜視図、同（ｅ）は同（ｄ）の拡大断面図である。
【図１０】（ａ）、同（ｂ）は、包装形態の諸例を示す正面図、同（ｃ）は包装形態の他の例を示す斜視図、同（ｄ）は同（ｃ）の変形例の一部省略斜視図である。
【図１１】（ａ）は、実施形態２の装着状態の一部断面図、同（ｂ）は小口枠の斜視図である。
【図１２】は、実施形態３の装着途中における縦断正面図である。
【図１３】は、同上の施錠スリーブの斜視図である。
【図１４】は、同上の装着状態における正面図である。
【図１５】は、先行例の装着途中における断面図である。
【図１６】は、同上のロック状態における一部断面図である。
【発明を実施するための形態】
【００３１】
以下、この発明の実施形態を添付図面に基づいて説明する。
[実施形態１]
実施形態１の盗難防止器具は、図１から図３に示したように、書籍Ａの背aの外側面に沿う背枠２１を有し、その背枠２１の下端部に書籍Ａの地ｂに沿って屈曲された短いアーム２２が設けられる。そのアーム２２に地ｂのページ間に差し込むことができるように上向の薄い背寄り地差込片２３が設けられる。
【００３２】
前記背枠２１の上端部に書籍Ａの天ｃに沿うように直角に屈曲されたヒンジ基部２４が設けられ、そのヒンジ基部２４にヒンジ２５を介して施錠スティック２６が連結される。前記ヒンジ基部２４の補強のために、これに連続した背枠２１の上端部に補強リブ２７を設けた補強構造が設けられている。施錠スティック２６は、四角形断面のスティック状をなす。
【００３３】
前記施錠スティック２６の前端側から前記ヒンジ基部２４まで、スライド可能に施錠スリーブ２８が嵌合される。施錠スリーブ２８は、前記施錠スティック２６の四面の外側にスライド自在に嵌合されるように四角形の筒形に形成される。施錠スリーブ２８の前端は開放されているが、内向きの開口縁３０によって狭められている（図２参照）。
【００３４】
また、施錠スリーブ２８の後端部の下面に切欠き部２９が設けられ、施錠スリーブ２８が最も深く押し込まれた際、即ち、施錠スティック２６に最も深く嵌合された際に、その切欠き部２９が背枠２１の上端部分に嵌合するようになっている（図１参照）。
【００３５】
前記施錠スリーブ２８は、前記のように、施錠スティック２６に最も深く嵌合された状態で、その前端が書籍Ａの天ｃの前端にほぼ一致し、また後端がヒンジ基部２４の後端に達する。これによって、施錠スティック２６の全体が施錠スリーブ２８の内部に隠れる。
【００３６】
施錠スリーブ２８の前端部には、小口ｄに沿うよう直角に屈曲した短いアーム３１が設けられ、そのアーム３１の内側面に内向きの天寄り小口差込片３２が設けられる。天寄り小口差込片３２は、小口ｄの天ｃに接近した位置に設けられ、その部分のページ間に差し込めるよう薄く形成される。
【００３７】
また、施錠スリーブ２８の後端部下面において、前記の切欠き部２９に近い位置に下向きに背寄り天差込片３３が設けられる。この背寄り天差込片３３は天ｃの背ａに近い部分においてそのページ間に差し込めるように薄く形成される。
【００３８】
なお、前記施錠スリーブ２８の前端部下面において、天ｃの小口ｄに近い部分においてそのページ間に差しこまれる小口寄り天差込片３３ａを設ける場合がある。この小口寄り天差込片３３ａは、書籍Ａの天ｃと小口ｄのコーナ部分に表紙側又は裏表紙側への強い不正な外力が加えられた場合に、背寄り天差込片３３だけでは支え切れず施錠スリーブ２８が天ｃから外れる事態を防止するうえで有効である。
【００３９】
次に前記施錠スティック２６の施錠スリーブ２８に対するロック機構３４について説明する。
【００４０】
図２、図４及び図５に示したように、施錠スティック２６の下面の後端側の約半分の下面は、前端側の半分より段差３５によって若干凹入している。その凹入した下面に電子的に検知可能な盗難防止タグ３６が貼り付けられる。
【００４１】
施錠スティック２６の下面の前端側の約半分の範囲に係合爪３７、３８、３９が設けられる。そのうち２個所の係合爪３７、３９は、施錠スティック２６の長さ方向に一定の間隔をおき、かつ、施錠スティック２６の下面に沿った同一面に設けられる。これに対し、他の１個所の係合爪３８は、前者の係合爪３７に並行する位置において（図５参照）、施錠スティック２６の上面に寄って設けられる（図４（ａ）（ｂ）参照）。
【００４２】
前記の係合爪３７の一端は施錠スティック２６の前端壁４１の内面に一体化され、他端の自由端部が前端壁４１の後方に一定間隔をおいて設けられた中間壁４２の方向に延びている。他方の係合爪３９は、その一端部が中間壁４２の内面（盗難防止タグ３６側の面）に一体化され、他端の自由端部が前記の段差３５の近くまで延びている。
【００４３】
前記各係合爪３７、３９は、それぞれ自由端部の近くにおいて、下施錠スティック２６の下面より下方へ若干突き出した係合突起４３、４４が設けられる。前記係合突起４３、４４は幅方向に微小距離ｘだけずれた位置関係にある（図５参照）。また、各係合突起４３、４４に接して各係合爪３７、３９の先端部に磁性体のビス４５、４６がねじ込まれている。各ビス４５、４６の頭部は、施錠スティック２６の上面の方向を向いているが、通常の状態ではその上面より若干低い位置にある（図４（ａ）（ｂ）参照）。
【００４４】
もう一つの前記係合爪３８は、その一端部が前記の前端壁４１の内面に一体化され、他端の自由端部が前記係合爪３７よりも長く延び中間壁４２に接近している（図５参照）。この係合爪３８の自由端部の近くにおいて、前述の係合突起４３、４４とは反対向きに、施錠スティック２６の上面の方向に突き出した係合突起４７が設けられる。この係合突起４７は、通常の状態では施錠スティック２６の上面と同じ高さにあり、それ以上突き出すことはない。
【００４５】
また、その係合突起４７に接して係合爪３８の先端部に磁性体のビス４８がねじ込まれている。そのビス４８の頭部は、前述の他のビス４５、４６と同様に、施錠スティック２６の上面の方向を向いているが、通常の状態ではその上面より若干低い位置にある（図４（ａ）（ｂ）参照）。
【００４６】
施錠スリーブ２８が施錠スティック２６に最も深く嵌合された状態で、施錠スティック２６の前端部が施錠スリーブ２８の前端の開口縁３０の内面に当たり、前端壁４１に設けられた前端突起４０が開口に嵌合される。また、施錠スリーブ２８の後端部は切欠き部２９が背枠２１に嵌り、ヒンジ２５を越えてヒンジ基部２４の後端に達する。
【００４７】
前記施錠スリーブ２８の下壁の内面には、施錠スティック２６に対し最も深く嵌合した前記の状態において、前記係合爪３７、３９の係合突起４３、４４に合致する位置に係合凹部５１、５２が設けられる。前記のように係合突起４３、４４は施錠スティック２６の下面から下方に若干突き出しているので、最も深く嵌合した状態で各係合突起４３、４４がそれぞれ係合凹部５１、５２に係合し、施錠スリーブ２８は施錠スティック２６に対してロック状態となる。
【００４８】
前述のように、係合突起４３、４４は、施錠スティック２６の幅方向に微小距離ｘだけずれているので、これに対応して係合凹部５１、５２も幅方向に同じ微小距離ｘだけ施錠スリーブ２８の幅方向にずれている（図６（ｄ）参照）。
【００４９】
前記の係合凹部５１、５２に代えてこれらを２個所の係合穴としてもロックさせることはできる。しかし、係合穴の場合は外部から工具などを差し込んで不正にロックが解除される恐れがある。このような恐れを解消するために、外部に開放されない係合凹部５１、５２を設け、これに係合突起４３、４４を係合させるようにしている。
【００５０】
なお、前記の係合凹部５１、５２を成形する場合に必要となる成形用穴５１ａ、５２ａが対向した上壁に残存する（図６（ａ）参照）。
【００５１】
前記のロック状態において、もう一つの係合爪３８の係合突起４７は施錠スリーブ２８の上面に設けられた係合穴５０の下方に臨む。係合突起４７は施錠スティック２６の上面より低い位置にあるので、通常の状態では係合穴５０に係合することはない。
【００５２】
前記のロック状態が解除され、施錠スリーブ２８が施錠スティック２６から引き抜かれて、図７に示したように、ヒンジ２５から抜け出した中間的な嵌合状態において、前記係合突起４３、４４が嵌る係合穴５３、５４が施錠スリーブ２８の下面に設けられる（図６（ａ）〜（ｄ）参照）。
【００５３】
前記の中間的な嵌合状態においては、施錠スティック２６の係突起４３、４４が施錠スリーブ２８の係合穴５３、５４に係合した状態を施錠スリーブ２８の仮止め状態と称する。
【００５４】
図６（ｄ）に示したように、前記の係合穴５３は、係合凹部５１と同一線上に、また他方の係合穴５４は、係合凹部５２と同一線上に位置する。その結果、これらの係合穴５３、５４も幅方向に微小距離ｘだけずれている。
【００５５】
係合突起４３、４４は、それぞれの前端側の立ち上がり縁５５、５６が若干のテーパを持っている（図４（ｂ）参照）。このため、前記の仮止め状態において、施錠スリーブ２８に若干の力を加えて後端方向（ヒンジ２５の方向）に押し込むことにより、係合突起４３、４４を係合穴５３、５４から外すことができる。これにより仮止めが外れ、施錠スリーブ２８は後退してロック状態に移行する。
【００５６】
一方、係合突起４３、４４の後端の立ち上り縁はテーパを持っていないので、前記の仮止め状態から施錠スリーブ２８を前端方向へさらに引き抜くことは、次に述べる解錠器具５７を用いない限りできない。
【００５７】
前記の解錠器具５７（図４（ａ）参照）は、前記ビス４５、４６の間隔に一致する間隔で磁石５９、６０が検知面に埋め込まれ、またこれらの磁石５９、６０がビス４５、４６に対向したロック解除状態において、施錠スリーブ２８の後端部上面に突き出した突起５８に係合し得る位置にロック解除時位置決め溝５７ａが設けられる。
【００５８】
また、施錠スリーブ２８が前記の仮止め状態にあるとき（図７参照）、その仮止めを解除するためには、その状態におけるビス４５、４６と磁石５９、６０の位置を合わせる必要がある。このため、解錠器具５７には、前記のロック解除時位置決め溝５７ａより内側（磁石６０寄り）の所定位置に仮止め解除時位置決め溝５７ｂが設けられる。
【００５９】
実施形態１の書籍盗難防止具は以上のように構成され、次にその作用について説明する。
【００６０】
前述のように、実施形態１の場合は、シュリンク包装等によって書籍Ａの全体に透明フィルムによる開封防止包装６１（図８、図９等参照、以下、「開封防止包装６１」を単に「包装６１」と称する。）が施されたものに適用される。その書籍Ａにこの器具を装着する手順は、施錠スリーブ２８を仮止め状態に保持した状態（図３参照）で、背枠２１の下端の背寄り地差込片２３を地ｂの背ａに近い部分において、その部分の開封防止包装６１を突き破ってページ間に差し込み、アーム２２を地ｂに、また背枠２１を背ａに沿わせる（図８（ａ）参照）。
【００６１】
同時に背枠２１の上端部とヒンジ基部２４のコーナ部を書籍Ａの背ａと天ｃとのコーナ部に合わせる。これによりヒンジ基部２４が天ｃに沿う（図３参照）。
【００６２】
その状態から施錠スリーブ２８を下方へ回転させ、背寄り天差込片３３を天ｃの包装６１を突き破ってページ間に差し込み、施錠スリーブ２８を天ｃに沿わせる（図２の二点鎖線参照）。
【００６３】
さらに、前記施錠スリーブ２８を天ｃに沿って後方、即ちヒンジ基部２４側へ押し込むことにより、前端部のアーム３１が小口ｄに沿うとともに、天寄り小口差込片３２が天ｃに近い小口ｄの包装６１を突き破って小口ｄのページ間に差し込まれる（図８（ｃ）参照）。その差し込みによって施錠スリーブ２８が施錠スティック２６に対し最も深く差し込まれると、施錠スリーブ２８の２個所の係合爪３７、３９の係合突起４３、４４が係合凹部５１、５２係合されロック状態となる（図４（ａ）参照）。
【００６４】
前記のロック状態においては、背枠２１は、背ａと直角方向に作用する外力に対しては、背寄り地差込片２３及び背寄り天差込片３３が背ａに係合し、また施錠スリーブ２８から延びたアーム３１が小口dに係合するため、書籍Ａから外れることがない。また、その背枠２１に上向きの外力が作用した場合は、背枠２１の下端部のアーム２２が背ａの下端部に係合し、また下向きの外力が作用した場合は、ヒンジ基部２４が天ｃ及び背ａの上端部に係合するため、この場合も書籍Ａから外れることがない。
【００６５】
また、書籍Ａの表紙及び裏表紙の面に直角の方向の外力に対しては、背寄り地差込片２３、背寄り天差込片３３、天寄り小口差込片３２がページ間に差し込まれていることにより、この場合も書籍Ａから外れることがない。この場合、前述のように、小口寄り天差込片３３ａ（図１参照）が設けられていると、一層確実に書籍Ａからの分離を防止することができる。
【００６６】
さらに、施錠スリーブ２８の前端部に上向きの外力が作用した場合は（図１の白抜き矢印参照）、天寄り小口差込片３２が天ｃの部分の包装６１によって上方への抜け出しが防止されるため（図８（ｃ）参照）、施錠スリーブ２８が強制的に持ち上げられることはない。
【００６７】
前記のロック状態を解除するには、解錠器具５７を、磁石５９、６０が埋め込まれた検知面を上向きにしてテーブル等の上に固定する。盗難防止器具を装着した書籍Ａは、天地を逆にして解錠器具５７の検知面に載せ、解錠器具５７の検知面に施錠スリーブ２８の上面を当て、その後端部上面に突き出した突起５８を解錠器具５７のロック解除時位置決め溝５７ａに係合することにより位置決めする（図４（ａ）の二点鎖線参照）。
【００６８】
その位置決め状態において、解錠器具５７の磁石５９、６０は、施錠スティック２６の２個所の係合爪３７、３９の各ビス４５、４６に対向する。各ビス４５，４６が磁石５９、６０に引き寄せられることにより、各係合突起４５、４６が係合凹部５１、５２から抜け出しロックが解除される。ロックが解除されると、解錠器具５７のロック解除時位置決め溝５７ａに係合された状態にある施錠スリーブ２８に対し、施錠スティック２６がその後端方向へ抜け出すことができる（図４（ａ）の矢印ａ参照）。同時に背枠２１、及び書籍Ａも同方向に移動し、天寄り小口差込片３２が書籍Ａの小口ｄから抜け出す。その後退途中において、係合突起４３，４４、が係合穴５３、５４に係合して仮止め状態となる（図７参照）。
【００６９】
前記の仮止め状態においては、ヒンジ基部２４及びヒンジ２５が施錠スリーブ２８から抜け出すので、背枠２１が回転可能となる。その回転によって書籍Ａを器具から分離することができる。
【００７０】
書籍Ａを器具から分離するためには、施錠スティック２６は仮止め状態となる位置まで引き抜くだけでよく、施錠スティック２６を施錠スリーブ２８から完全に抜き出す必要はない。しかし、盗難防止タグ３６の貼り替え等を行う場合は、前記の仮止め状態からさらに施錠スティック２６を引き抜き、施錠スリーブ２８から完全に分離する必要がある。
【００７１】
そのため、解錠器具５７に対して、仮止め状態にある施錠スリーブ２８の突起を仮止め解錠時位置決め溝５７ｂに係合するように位置決めを行う（図７の二点鎖線参照）。この位置決めによって、ビス４５、４６が磁石５９、６０に対向し吸引されるので、係合突起４３、４４は係合穴５３、５４から外れる。これによって仮止め状態が解除され、施錠スリーブ２８から施錠スティック２６を完全に抜き出すことができる。
【００７２】
天寄り小口差込片３２の上方への抜け出しを防止するために包装６１だけでは十分な強度が得られない場合は、図９（ａ）に示したように、天cの小口ｄに近い部分、又は図示を省略しているが、小口ｄの天ｃに近い部分において、包装６１の外側面に補強テープ６２を貼るなどの補強手段を施すことが望ましい。
【００７３】
補強手段のその他の例として、図９（ｂ）（ｃ）に示したように、包装６１を施す前に、厚紙、プラスチック等の補強シート７６の一端部に逆Ｌ形の屈曲部７７を形成し、その補強シート７６を天ｃの小口ｄに近い部分に沿わせるとともに、その屈曲部７７を書籍Ａの表紙７８とその折り返し片７９とのすき間に挿入したうえで、包装６１を施す構成をとることもできる。補強手段が包装６１の内側面において施されることになる。補強シート７６の屈曲部７７を書籍Ａの裏表紙８０側のすき間に挿入するようにしてもよい。
【００７４】
いずれの場合も、包装時に補強シート７６が天ｃの幅方向及び小口ｄの方向へずれ動く不具合を防止することができる。補強シート７６の背ａ方向へのずれ動きを確実に防止するためには、補強シート７６を天ｃの長さ方向に長い形状に形成すればよい。
【００７５】
また、図９（ｄ）（ｅ）に示した例は、前記の場合と同様の屈曲部７７を設けるとともに、小口側屈曲部８１を設けて一体化し、立体的な補強部材８２を構成したものである。小口側屈曲部８１は、前記の天寄り小口差込片３２の差し込みに支障をきたさないように、小口ｄの半分を越えない幅に形成されている。
【００７６】
この場合は、前述の例のように、屈曲部７７を表紙７８と折り返し片７９のすき間に挿入する必要がなく、前記の補強部材８２を天ｃ、小口ｄ及び表紙７８（又は裏表紙８０）が作るコーナ部に被せるだけでよく、そののちに包装６１を施す。
【００７７】
なお、施錠スリーブ２８を施錠スティック２６に差し込み、ロックするまで押し込む場合、まず、施錠スティック２６の係合突起４３、４４が、施錠スリーブ２８の係合穴５３、５４を通過する。この場合、前述のように、両方の係合突起４３、４４及び係合穴５３、５４は、それぞれ幅方向に微小距離ｘだけずれているので、先頭の係合突起４３が２個所の係合穴５３、５４に次々係合することはなく、一対一に対応して係合し、仮止め状態となる。
【００７８】
仮止め状態からさらに押し込み方向の力を加えると、各係合突起４３、４４は、その立上がり縁５５、５６のテーパによって軽く係合を脱することができる。
【００７９】
次に、係合突起４３、４４と係合凹部５１、５２の関係も前記の場合と同様に、それぞれ幅方向に微小距離ｘだけずれているので、先頭の係合突起４３が２個所の係合凹部５１、５２に次々係合することはなく、一対一に対応して係合しロック状態となる。ロック状態になると、施錠スリーブ２８の開口縁３０に施錠スティック２６の前端壁４１が当たり、それ以上差し込むことが不可能となる。このため、係合突起４３、４４が係合凹部５１、５２から外れることがなく、したがって、ロック状態が解除されることはない。
【００８０】
なお、施錠スリーブ２８の上面に解錠器具５７に近い程度の大きさの１個の磁石が不正に当てられる場合が考えられる。その磁石によって３個所の係合爪３７、３８、３９のビス４５、４６、４８に吸引力が作用する。その場合、２個所の係合爪３７、３９のビス４５、４６に対してはロックを解除する方向に作用するが、１個所の係合爪３８についてはその係合突起４７が係合穴５０に係合するため、施錠スリーブ２８のロックが不正に解除されることはない。
【００８１】
以上の説明においては、包装６１がシュリンク包装により書籍Ａの全体に施される場合について説明したが、包装６１は、この形態に限られず図１０（ａ）から（ｄ）に示したような形態もある。図８（ａ）の場合を含むこれらの形態に共通の構造は、いずれも、書籍Ａの天ｃと小口ｄによって形成される天・小口コーナ部６７又はその近辺をカバーする形態である点である。
【００８２】
即ち、図１０（ａ）は、書籍Ａの地ｂ及び天ｃを含む上下端部を除き、透明フィルムの包装用紙を背ａ、表裏表紙、及び小口ｄに渡り横帯状に巻き付けたものである。背寄り地差込片２３、背寄り天差込片３３はいずれも包装６１を貫通することなく、それぞれ地ｂ、天ｃのページ間に直接差し込まれる。天寄り小口差込片３２は、前記の天・小口コーナ部６７の近辺の小口側に包装６１を突き破って差し込まれる。天寄り小口差込片３２は天・小口コーナ部６７の近辺に存在する包装６１に係合されるため、天ｃ側へ抜け出すことが防止される。
【００８３】
図１０（ｂ）に示した包装形態は、書籍Ａの背ａ及び小口ｄを含む書籍の左右両側部を除き、透明フィルムの包装用紙を地ｂ、表裏用紙、及び天ｃに渡り縦帯状に巻き付けたものであり、天・小口コーナ部６７の近辺が包装６１によってカバーされる。背寄り地差込片２３、背寄り天差込片３３はいずれも包装６１を突き破ってそれぞれ地ｂ、天ｃのページ間に差し込まれる。天寄り小口差込片３２は、前記の天・小口コーナ部６７の近辺の小口側に直接差し込まれる。天寄り小口差込片３２は天・小口コーナ部６７の近辺に存在する包装６１に係合され天ｃ側へ抜け出すことが防止される。
【００８４】
前記の図１０（ｂ）は、表裏用紙の上から縦帯状に包装６１を施す場合を示しているが、同（ｃ）のように、表紙ｅ、裏表紙ｆを除き、本体部分に包装６１を施す場合、同（ｄ）のように、本体部分の一部に包装６１を施す場合がある。
【００８５】
なお、図１０（ａ）から（ｄ）のいずれの場合も、先に図９において示した補強手段が追加される場合がある。
【００８６】
[実施形態２]
実施形態２の盗難防止器具は、図１１（ａ）（ｂ）に示したように、前記実施形態１の盗難防止器具に小口枠６３を組み合わせたものであり、包装６１の形態は、地・小口コーナ部６８又はその近辺をカバーする形態に限られる。
【００８７】
この場合の小口枠６３は、書籍Ａの小口ｄの外側面に沿い、その全長に一致する長さを有する。その下端部には、地ｂに沿うように屈曲された短いアーム６４が設けられ、そのアーム６４の上面に地ｂの小口ｄに近い部分のページ間に差し込まれる薄い小口寄り地差込片６５が上向きに設けられる。
【００８８】
また、小口枠６３の上端近くに上下方向に長いスリット６６が設けられ、そのスリット６６に前記の天寄り小口差込片３２が挿通されるようになっている。
【００８９】
前記の器具を書籍Ａに装着する方法は、基本的には実施形態１の場合と同じであるが、相違する点は、この実施形態２の場合は、前記の小口枠６３の小口寄り地差込片６５を書籍Ａの地ｂの包装６１を突き破ってページ間に差し込み、小口枠６３を小口ｄに沿わせる。
【００９０】
その後、施錠スリーブ２８を後方に押し込む際に天寄り小口差込片３２を小口枠６３のスリット６６に挿通させる。天寄り小口差込片３２の上辺がスリット６６の上端に接触するか、又は接近させるように両者の位置関係を定める。
【００９１】
スリット６６を貫通した天寄り小口差込片３２は、前記実施形態１の場合と同様に、包装６１を突き破って小口ｄのページ間に差し込まれる。
【００９２】
この実施形態２の場合は、小口枠６３の小口寄り地差込片６５が小口ｄ方向へ抜け出すことは、地・小口コーナ部６８の小口ｄに近い部分の包装６１によって防がれる。また、天寄り小口差込片３２が天ｃ方向へ抜け出すことは、天寄り小口差込片３２の上辺が小口枠６３のスリット６６の上端に係合することにより防止され、天ｃの部分の包装６１がその抜け出しに寄与することは少ない。このため、その部分の包装６１に特別な補強手段を施すことなく、施錠スリーブ２８の持ち上げを確実に防止することができる。
【００９３】
但し、小口枠６３の下端部に設けた小口寄り地差込片６５が小口ｄ方向へ抜け出しを防ぐために、包装６１が地・小口コーナ部６８の小口ｄ近辺に存在する必要がある。このため、この実施形態２の場合の包装形態は、少なくとも地・小口コーナ部６８及びその近辺に包装６１が存在する形態であることが必要である。
【００９４】
[実施形態３]
次に、図１２から図１４に示した実施形態３は、前記実施形態２（図１１（ａ）（ｂ）参照）の構成に、地枠７１を追加した構成である。
【００９５】
即ち、地枠７１は、書籍Ａの地ｂに沿った枠板によって形成される。その背枠２１側の端部に背側スリット７２が長さ方向に設けられ、また小口枠６３側の端部に小口側スリット７３が同じく長さ方向に設けられる。前者の背側スリット７２には、その下面から前記背枠２１下端部の背寄り地差込片２３が挿通され、また後者の小口側スリット７３には、前記小口枠６３下端部の小口寄り地差込片６５が挿通される。
【００９６】
これにより、背枠２１と小口枠６３の下端部が地枠７１によって連結され、書籍Ａの背ａ、地ｂ、天ｃ及び小口ｄに沿った背枠２１、地枠７１、天枠（施錠スティック２６と施錠スリーブ２８とにより構成される。）及び小口枠６３によって、四角枠形の書籍盗難防止器具が構成される（図１４参照）。
【００９７】
前記地枠７１の背側スリット７２の内側（小口ｄ寄りの位置）に、幅方向のヒンジ７４が形成され、図１２に示したように、当該器具を装着する途中において、地枠７１の背枠２１側端部が屈曲し易くなっている。ヒンジ７４は、小口側スリット７３の内側（背ａ寄りの位置）に設け、その部分で屈曲できるようにしてもよい。
【００９８】
この場合の施錠スリーブ２８は、その下面の前端寄りに前記の小口寄り天差込片３３ａを設けたものを示している。小口寄り天差込片３３ａは、前述のように、書籍Ａの天ｃと小口ｄのコーナ部分に表紙側又は裏表紙側への強い不正な外力が加えられた場合に、施錠スリーブ２８が天ｃから外れる事態を防止する。
【００９９】
また、この施錠スリーブ２８の前端部上面に前端に至るほど低くなる緩やかなテーパ面７５を設けている。これは、当該器具を装着した書籍を本棚に収納する際、施錠スリーブ２８の前端上部コーナが棚板に衝突することを避け、円滑に収納できるようにするためである。
【０１００】
実施形態３は以上のようなものであり、背枠２１の下端部と小口枠６３の下端部が地枠７１によって連結されているので、ロック状態にある施錠スリーブ２８の前端部にこれを持ち上げようとする不正な外力が作用した場合、その力は小口枠６３を経て地枠７１によって受けられる。このため、包装が施されていない書籍についても使用することができる。
【符号の説明】
【０１０１】
１  背枠
２  アーム
３  地差込片
４  ヒンジ基部
５  ヒンジ
６  施錠スティック
７  施錠スリーブ
８  天差込片
９  ロック機構
１０  盗難防止タグ
１１  係合爪
１２  係合穴
１３  磁石
１４  解錠器具
１５  ビス
２１  背枠
２２  アーム
２３  背寄り地差込片
２４  ヒンジ基部
２５  ヒンジ
２６  施錠スティック
２７  補強リブ
２８  施錠スリーブ
２９  切欠き部
３０  開口縁
３１  アーム
３２  天寄り小口差込片
３３  背寄り天差込片
３３ａ  小口寄り天差込片
３４  ロック機構
３５  段差
３６  盗難防止タグ
３７、３８、３９  係合爪
４０  前端突起
４１  前端壁
４２  中間壁
４３、４４  係合突起
４５、４６  ビス
４７  係合突起
４８  ビス
５０  係合穴
５１、５２  係合凹部
５１ａ、５２ａ  成形用穴
５３、５４  係合穴
５５、５６  立上がり縁
５７  解錠器具
５７ａ  ロック解除時位置決め溝
５７ｂ  仮止め解除時位置決め溝
５８  突起
５９、６０  磁石
６１  開封防止包装（包装）
６２  補強テープ
６２ａ  補強シート
６３  小口枠
６４  アーム
６５  小口寄り地差込片
６６  スリット
６７  天・小口コーナ部
６８  地・小口コーナ部
７１  地枠
７２  背側スリット
７３  小口側スリット
７４  ヒンジ
７５  テーパ面
７６  補強シート
７７  屈曲部
７８  表紙
７９  折り返し片
８０  裏表紙
８１  小口側屈曲部
８２  補強部材
【図１】
2011217804.tif 000003
【図２】
2011217804.tif 000004
【図３】
2011217804.tif 000005
【図４】
2011217804.tif 000006
【図５】
2011217804.tif 000007
【図６】
2011217804.tif 000008
【図７】
2011217804.tif 000009
【図８】
2011217804.tif 000010
【図９】
2011217804.tif 000011
【図１０】
2011217804.tif 000012
【図１１】
2011217804.tif 000013
【図１２】
2011217804.tif 000014
【図１３】
2011217804.tif 000015
【図１４】
2011217804.tif 000016
【図１５】
2011217804.tif 000017
【図１６】
2011217804.tif 000018